(57)【要約】【課題】加湿器の装置本体が倒れても、貯水槽内の水の溢れを防止することができる。【解決手段】装置本体と、前記装置本体の内部に設置され水粒子発生器と連結する貯水槽と、前記貯水槽の上に設置され水粒子を排出するノズルと、水粒子発生器とを含む加湿器の溢れ防止装置において、前記貯水槽とノズルの間には一つの球体受け台が設けてあり、前記球体受け台は一つの球体を支え、前記球体の大きさは丁度前記ノズルを閉塞可能であり、前記貯水槽が傾斜になったときに、前記球体が前記球体受け台から離脱して前記ノズルを閉塞し、前記貯水槽の内部の水が溢れられないことを特徴とする加湿機の溢れ防止装置。【選択図】図１
0003120759.tif 000002
【実用新案登録請求の範囲】
【請求項１】
装置本体と、前記装置本体の内部に設置され水粒子発生器と連結する貯水槽と、前記貯水槽の上に設置され水粒子を排出するノズルと、水粒子発生器とを含む加湿器の溢れ防止装置において、
前記貯水槽と前記ノズルの間には一つの球体受け台が設けてあり、
前記球体受け台は一つの球体を支え、
前記球体の大きさは丁度前記ノズルを閉塞可能であり、
前記貯水槽が傾斜したときに、前記球体が前記球体受け台から離脱して前記ノズルを閉塞し、
前記貯水槽の内部の水が溢れないことを特徴とする、
加湿機の溢れ防止装置。
【請求項２】
前記ノズルの周縁には、前記球体と前記ノズルが当接した時の密封効果を向上するための軟性パッキンが設けてあることを特徴とする、請求項１に記載の加湿機の溢れ防止装置。
【請求項３】
前記装置本体の上には、前記ノズルをユーザから隔離し水粒子が通過するためのカバーが設けてあることを特徴とする、請求項１又は請求項２に記載の加湿機の溢れ防止装置。
【請求項４】
前記ノズルには、水粒子を輸送するためのホースが接続してあることを特徴とする、請求項１乃至請求項３のいずれかに記載の加湿機の溢れ防止装置。
【請求項５】
前記球体受け台は、円錐状支持体と、中央に一つ貫通孔が開設されたトレーとを含むことを特徴とする、請求項１乃至請求項４のいずれかに記載の加湿機の溢れ防止装置。
【考案の詳細な説明】
【技術分野】
【０００１】
本考案は、加湿機の溢れ防止装置に係り、特に、加湿器の装置本体が倒れても、球体がノズルを閉塞することにより、貯水槽内の水の溢れを防止可能な溢れ防止装置に関するものである。
【背景技術】
【０００２】
乾燥し過ぎた環境が健康に良くないことは皆が知っており、乾燥し過ぎた環境で暮らすと、人体内の水分が流失し、ひいては皮膚、喉または鼻は不快適な感じがし、更に、空気中の浮き粒子やホコリが増加することにより、呼吸系統に関する病気が起こされ易い。
研究データによると、空気の湿度が５５％ＲＨになったときに、細菌は繁殖し難くなり、空気の湿度が６５％ＲＨ以上になったときに、人体の呼吸系統および粘膜には不快適な感じがし、免疫力が降下になる。
また、空気の湿度が２０％ＲＨ以下になったときに、吸入された浮き粒子やホコリが増加することにより、人間は病気になり易い。
そして、乾燥し過ぎる環境では、静電気が増加し、ひいては人間の気分および気持ちは悪くなり、そして家具や本は劣化し易くなる。
中国北京を例にすれば、その冬期の室内湿度は僅か２０％ＲＨ程度であり、正常湿度４０％〜７０％ＲＨよりも遥かに低いので、適当な加湿機を使用して室内湿度を正常湿度に保持することが必要である。
【０００３】
目下、加湿機を機能で分類すると、電熱タイプ、超音波タイプ、霧化タイプなどがある。
電熱タイプの加湿機は、蒸気タイプ加湿機とも呼ばれ、それは水を沸点まで加熱し、発生した水蒸気を大気に排出するものである。
超音波タイプの加湿機は、超音波で発振することにより水を1〜5ミクロンの超微細粒子に粉砕して、送風装置により水粒子を大気に排出するものである。
霧化タイプの加湿機は、霧化器により水粒子を発生し、医療や美容やベビーケアーなどの分野に応用されたものである。
【０００４】
それらの加湿機の主な構成は、装置本体と、貯水槽と、ノズルと、水粒子発生器とを含む。
貯水槽が装置本体の内部に設置され水を収容し、貯水槽は水粒子発生器と連結して水粒子を発生する。水粒子発生器は、ヒータでもいいし、超音波発振器でもいいし、霧化器でもいいし、水粒子を発生できる他の装置でもよい。
また、水粒子を大気に排出するノズルが貯水槽の上に設置される。
【考案の開示】
【考案が解決しようとする課題】
【０００５】
しかしながら、これには次のような欠点がある。
（イ）装置本体が倒れたときに、貯水槽内にある水が溢れて、床やカーペットなどを湿らせるため、環境整理が面倒であった。
【０００６】
（ロ）電熱タイプの加湿機の場合には、装置本体が倒れたときに、貯水槽内の高温（８０℃〜１００℃）になったお湯が溢れて、ユーザは火傷をする恐れがあった。
【０００７】
本考案の主な目的は、加湿器の装置本体が倒れても、球体がノズルを閉塞することにより、貯水槽内の水の溢れを防止可能な、溢れ防止装置を提供する。
【課題を解決するための手段】
【０００８】
上記目的を達成するためになされた本願の第１考案は、装置本体と、前記装置本体の内部に設置され水粒子発生器と連結する貯水槽と、前記貯水槽の上に設置され水粒子を排出するノズルと、水粒子発生器とを含む加湿器の溢れ防止装置において、前記貯水槽と前記ノズルの間には一つの球体受け台が設けてあり、前記球体受け台は一つの球体を支え、前記球体の大きさは丁度前記ノズルを閉塞可能であり、前記貯水槽が傾斜したときに、前記球体が前記球体受け台から離脱して前記ノズルを閉塞し、前記貯水槽の内部の水が溢れないことを特徴とする、加湿機の溢れ防止装置を提供する。
【０００９】
また、本願の第２考案は、前記ノズルの周縁には、前記球体と前記ノズルが当接した時の密封効果を向上するための軟性パッキンが設けてあることを特徴とする、第1考案に記載の加湿機の溢れ防止装置を提供する。
【００１０】
また、本願の第３考案は、前記装置本体の上には、前記ノズルをユーザから隔離し水粒子が通過するためのカバーが設けてあることを特徴とする、第１考案又は第２考案に記載の加湿機の溢れ防止装置を提供する。
【００１１】
また、本願の第４考案は、前記ノズルには、水粒子を輸送するためのホースが接続してあることを特徴とする、第１考案乃至第３考案のいずれかに記載の加湿機の溢れ防止装置を提供する。
【００１２】
また、本願の第５考案は、前記球体受け台は、円錐状支持体と、中央に一つ貫通孔が開設されたトレーとを含むことを特徴とする、第１考案乃至第４考案のいずれかに記載の加湿機の溢れ防止装置を提供する。
【考案の効果】
【００１３】
本考案に係る加湿機の溢れ防止装置によれば、次のような効果がある。
（イ）装置本体が倒れても、貯水槽内にある水が溢れず、床やカーペットなどを湿らせることを防止できる。また、ユーザが火傷することを防止できる。
【００１４】
（ロ）本考案に係る加湿機の構造は簡単であり、製造コストが低いので、市場競争力は強い。
【考案を実施するための最良の形態】
【００１５】
以下、添付図面を参照して本考案の好適な実施の形態を詳細に説明する。
【００１６】
まず、図１乃至図４を参照する。
本考案に係る加湿器１は、装置本体２と、装置本体２の内部に設置され水粒子発生器３１と連結する貯水槽３と、通路４１を持つノズル４と、水粒子発生器３１とを含むものである。
装置本体２は台座２１と上蓋２２とから構成されたものであり、水を持続して供給するために、装置本体２の上部は水供給器２３と連接する。
水粒子発生器３１は、ヒータでもよいし、超音波発振器でもよいし、霧化器でもよいし、水粒子を発生できる他の装置でもよい。
水粒子を排出するための出口であるノズル４は、貯水槽３の上に設置される。
装置本体２のノズル４と対向する箇所では、カバー２２１が設けてあり、カバー２２１には整列した排気穴２２１１が複数に開設してある。カバー２２１により、ノズル４はユーザから隔離され、水粒子がノズル４を通過できる。
また、ノズル４には、水粒子をより遠い箇所まで輸送可能になるためのホース（図示せず）が接続してある。
【００１７】
前記貯水槽３とノズル４の間には、一つの球体受け台５が設けてある。球体受け台５は、一つの球体６を支え、円錐状支持体５１と、中央に貫通孔５２１が開設されたトレー５２とを含む。貫通孔５２１により球体６が安定する。
球体６は、一定の重量を持つ、スチール玉または鉄玉であり、水粒子が通過できるように、球体６とノズル４１の間には隙間が設けてある。球体６の大きさはノズル４の通路４１を閉塞可能な大きさである。
ノズル４には環状を呈する軟性パッキン４２が設けてある。軟性パッキン４２はシリコンで作製されたものでよく、球体６が軟性パッキン４２に当接すると、軟性パッキン４２が適当に弾性変形し球体６を挟み留める。これにより、ノズル４を堅く閉塞することができ、水が溢れないようになる効果がある。
【００１８】
上記構成によれば、装置本体２が倒れたとき、すなわち、貯水槽３が傾斜になったときには、球体６が球体受け台５から離脱して軟性パッキン４２に挟み留められる。これにより、ノズル４の通路４１が閉塞される。また、水圧により球体６が更に押され閉塞効果はもっと良くなり、水が溢れないようになる。
なお、装置本体２が本来の姿勢に戻ると、球体６の重量により、球体６は軟性パッキン４２から自然に離脱して球体受け台５に落下し、水粒子は再び順調に通過できるようになる。
【００１９】
このように、本考案の特定の例を参照して説明したが、これらの例は、説明のためだけのものであり、本考案を限定するものではない。この分野の通常の知識を有する者には、本考案の実用新案登録請求の範囲を逸脱することなく、ここで開示された実施例に変更、追加、または、削除を施してもよいことがわかる。これらの変更、追加、または削除は本考案の権利範囲内に包含されることは言うまでもない。
【図面の簡単な説明】
【００２０】
【図１】本考案の分解斜視図である。
【図２】本考案の組合状態を示す斜視図である。
【図３】本考案の正常な使用状態を示す断面図である。
【図４】本考案の傾斜になった状態を示す断面図である。
【符号の説明】
【００２１】
１        加湿機
２        装置本体
２１      台座
２２      上蓋
２２１    カバー
２２１１  排気穴
２３      水供給器
３        貯水槽
３１      水粒子発生器
４        ノズル
４１      通路
４２      軟性パッキン
５        球体受け台
５１      円錐状支持体
５２      トレー
５２１    貫通孔
６        球体
【図１】
0003120759.tif 000003
【図２】
0003120759.tif 000004
【図３】
0003120759.tif 000005
【図４】
0003120759.tif 000006